(57)【要約】【課題】吸着剤にどの程度オイルが吸着されているかを容易に認識することができる圧縮空気圧回路用の分離器を提供する。【解決手段】圧縮空気圧回路用の分離器１は、圧縮空気が流れる圧縮空気圧回路２を形成する配管３に取り付けられている中空筒形状の分離器本体４と、分離器本体４の内部に充填されていて圧縮空気中に含まれるオイルを吸着するための吸着材６と、分離器本体４を貫通して外側から差し込まれていて先端が分離器本体４の中心まで延びている棒形状のオイルゲージ１０と、オイルゲージ１０の外側端部を分離器本体４に対して密閉して固定するための固定具１１とを備えている。【選択図】        図１
2019136622.tif 000002
【特許請求の範囲】
【請求項１】
圧縮空気が流れる圧縮空気圧回路を形成する配管に取り付けられて前記圧縮空気圧回路の一部を構成する中空筒形状の分離器本体と、
該分離器本体の内部に充填されていて前記圧縮空気中に含まれるオイルを吸着するための吸着材と、
前記分離器本体を貫通して外側から差し込まれていて先端が前記分離器本体の中心まで延びている棒形状のオイルゲージと、
該オイルゲージの外側端部を前記分離器本体に対して密閉して固定するための固定具とを備えたことを特徴とする圧縮空気圧回路用の分離器。
【請求項２】
前記オイルゲージは複数本備わり、前記分離器本体の周方向に対して異なる方向から差し込まれていて且つ前記分離器本体の長手方向に対して間隔を存して配設されていることを特徴とする請求項１に記載の圧縮空気圧回路用の分離器。
【請求項３】
前記オイルゲージは少なくとも４本備わり、前記分離器本体の周方向に対して９０度ずつずらして配設されていることを特徴とする請求項２に記載の圧縮空気圧回路用の分離器。
【請求項４】
複数の前記オイルゲージは前記分離器本体の長手方向に対して中央より一方の側にすべて配設されていることを特徴とする請求項２に記載の圧縮空気圧回路用の分離器。
【請求項５】
前記オイルゲージの先端には切欠かれた溝部が形成されていることを特徴とする請求項１に記載の圧縮空気圧回路用の分離器。
【発明の詳細な説明】
【技術分野】
【０００１】
本発明は、圧縮空気が流れる圧縮空気圧回路に配され、圧縮空気に含まれる異物を分離除去するための圧縮空気圧回路用の分離器に関するものである。
【背景技術】
【０００２】
圧縮空気に含有されるオイルミストやオゾン等の異物を分離除去するための分離器が知られている（例えば特許文献１参照）。この分離器は、圧縮空気が流れる圧縮空気圧回路の一部として配され、圧縮空気がこの分離器を通過する際に異物を除去するものである。特にオイルを分離する分離器は、略筒形状の分離器本体の内部にオイルを吸着するための吸着剤が配され、分離器本体の両端は蓋が配されて塞がれる。このため、分離器本体の内部を視認することができず、吸着剤にどれくらいオイルが付着しているか認識することが困難である。
【先行技術文献】
【特許文献】
【０００３】
【特許文献１】特開２０１５−２０１１２号公報
【発明の概要】
【発明が解決しようとする課題】
【０００４】
本発明は、上記従来技術を考慮したものであり、吸着剤にどの程度オイルが吸着されているかを容易に認識することができる圧縮空気圧回路用の分離器を提供することを目的とする。
【課題を解決するための手段】
【０００５】
前記目的を達成するため、本発明では、圧縮空気が流れる圧縮空気圧回路を形成する配管に取り付けられて前記圧縮空気圧回路の一部を構成する中空筒形状の分離器本体と、該分離器本体の内部に充填されていて前記圧縮空気中に含まれるオイルを吸着するための吸着材と、前記分離器本体を貫通して外側から差し込まれていて先端が前記分離器本体の中心まで延びている棒形状のオイルゲージと、該オイルゲージの外側端部を前記分離器本体に対して密閉して固定するための固定具とを備えたことを特徴とする圧縮空気圧回路用の分離器を提供する。
【０００６】
好ましくは、前記オイルゲージは複数本備わり、前記分離器本体の周方向に対して異なる方向から差し込まれていて且つ前記分離器本体の長手方向に対して間隔を存して配設されている。
【０００７】
好ましくは、前記オイルゲージは少なくとも４本備わり、前記分離器本体の周方向に対して９０度ずつずらして配設されている。
【０００８】
好ましくは、複数の前記オイルゲージは前記分離器本体の長手方向に対して中央より一方の側にすべて配設されている。
【０００９】
好ましくは、前記オイルゲージの先端には切欠かれた溝部が形成されている。
【発明の効果】
【００１０】
本発明によれば、分離器本体の中心までオイルゲージが延びて配設されているため、オイルゲージを分離器本体から引き抜くことでオイルゲージにオイルが付着しているかどうかを確認することができる。したがって、分離器本体内にオイルがどの程度溜まっているかを外部から認識することができる。分離器本体は圧縮空気圧回路に対してその軸心を流入口及び流出口としていることが多いため、ほとんどの圧縮空気は分離器本体の軸心を通過する。このため、オイルゲージが分離器本体の中心まで延びていることで多くの圧縮空気が通過する周辺の吸着材に付着したオイルを認識することができるようになる。また、オイルゲージは固定具により確実に分離器本体に対して密閉性を保持しながら固定されるので、圧縮空気が分離器本体から漏れることはない。
【００１１】
また、オイルゲージが分離器本体の周方向に対して異なる方向から差し込まれていることで、分離器を通過する圧縮空気は分離器本体内を分散しながら流通する。すなわち、複数のオイルゲージが種々の方向から差し込まれることで圧縮空気の流通の妨げとなり、圧縮空気の分離器本体内での通過距離を長くすることができる。このため、多くの吸着材を有効利用することができる。特に、少なくとも４本のオイルゲージを用意し、これを９０度ずつずらせば効果的に圧縮空気の流路を長くできる。
【００１２】
また、複数のオイルゲージを分離器本体の長手方向に対して中央より一方の側にすべて配設することで、分離器を流れる圧縮空気の下流側に集中してオイルゲージを配することができる。オイルは上流側の吸着材から吸着されていくため、分離器として使用できる寿命の目安として好適に利用できる。特に鉛直方向に設置された分離器においては、圧縮空気は下側から上側に向けて流通するので、オイルの自重も相俟って分離器の下側（上流側）からオイルが吸着されていくため、やはり分離器の上側（下流側）のオイルを認識できることが分離器としての寿命を判断するのに好適である。
【００１３】
また、オイルゲージの先端に溝部を形成することで、この溝部に溜まったオイルを確実に認識することができる。溝部は切欠かれているため、オイルゲージを引き抜く際に周囲の吸着材に含まれるオイルが入り込むことはなく、確実にオイルゲージ先端にて捕集されたオイルのみを認識することができる。
【図面の簡単な説明】
【００１４】
【図１】本発明に係る圧縮空気圧回路用の分離器の概略図である。
【図２】図１のＡ−Ａ断面の概略図である。
【発明を実施するための形態】
【００１５】
図示したように、本発明に係る圧縮空気圧回路用の分離器１は、圧縮空気圧回路２の一部を構成している。すなわち、圧縮空気は分離器１内も流れて流通する。具体的には、圧縮空気圧回路２を形成する配管３があり、この配管３に分離器１が接続されて圧縮空気圧回路２の一部を形成している。分離器１は中空筒形状の分離器本体４を備えている。分離器本体４内には吸着材６が充填されている。この吸着材６があることで、圧縮空気に含まれるオイル等の異物は吸着されて分離除去される。吸着材６としては、例えばオイルを吸着する材質（ポリエチレン、ポリプロピレン、ポリエチレンテレフタレート等）を用いることができる。分離器本体４はその両端が蓋体１２にて閉塞されている。蓋体１２は略中央部分が貫通されていて、ここに配管３が接続されて圧縮空気は流通する。
【００１６】
分離器１は鉛直方向を長手方向とするように配設され、架台５に例えばボルト及びナットからなる締結具７にて確実に固定される。エアーコンプレッサー８にて生成された圧縮空気は、配管３を通って一旦床面近くまで下がり、分離器１の鉛直下方から分離器１内に流入する。そして、分離器１の上方から延びる配管３から流出する。これら圧縮空気の流量は、配管３の途中に配されたバルブ９にて調整可能である。
【００１７】
ここで、分離器本体４には、オイルゲージ１０が備わっている。オイルゲージ１０は略棒形状であり、分離器本体４の長手方向に対して直交するように外側から差し込まれている。すなわち、分離器本体４はその側面に貫通孔を有し、この貫通孔からオイルゲージ１０は差し込まれてその先端は分離器本体４の中心まで延びている。オイルゲージ１０の外側端部には固定具１１が備わり、この固定具１１にてオイルゲージ１０は分離器本体４に対して密閉するようにして固定される。固定具１１としては例えば分離器本体４の周壁に対してねじ締めするような形状を有するボルトをオイルゲージ１０の外側端部に連続して形成する。この場合、ボルトヘッドと分離器本体４との間には空気漏れを防止するためのパッキン材（不図示）が介装される。
【００１８】
このような構成により、分離器本体４の中心までオイルゲージ１０が延びて配設されることになる。このため、オイルゲージ１０を分離器本体４から引き抜くことでオイルゲージ１０にオイルが付着しているかどうかを確認することができる。したがって、分離器本体４内にオイルがどの程度溜まっているかを外部から認識することができる。図示したように、分離器本体４は圧縮空気圧回路２に対してその軸心を流入口及び流出口としていることが多いため、ほとんどの圧縮空気は分離器本体４の軸心を通過する。このため、オイルゲージ１０が分離器本体４の中心まで延びていることで多くの圧縮空気が通過する周辺の吸着材６に付着したオイルを認識することができるようになる。また、オイルゲージ１０は固定具１１により確実に分離器本体４に対して密閉性を保持しながら固定されるので、圧縮空気が分離器本体４から漏れることはない。
【００１９】
オイルゲージ１０は複数本備わっていてもよい。この場合、オイルゲージ１０は分離器本体４の周方向に対して異なる方向から差し込まれていて且つ分離器本体４の長手方向に対して間隔を存して配設されている。例えば、図示したようにオイルゲージ１０を４本とし、分離器本体４の周方向に対して９０度ずつずらして差し込まれている。このように、オイルゲージ１０が分離器本体４の周方向に対して異なる方向から差し込まれていることで、分離器１を通過する圧縮空気は分離器本体４内を分散しながら流通する。すなわち、複数のオイルゲージ１０が種々の方向から差し込まれることで圧縮空気の流通の妨げとなり、圧縮空気の分離器本体４内での通過距離を長くすることができる。このため、多くの吸着材６を有効利用することができる。特に、少なくとも４本のオイルゲージを用意し、これを９０度ずつずらせば効果的に圧縮空気の流路を長くできることが分かっている。
【００２０】
また、図１を参照すれば明らかなように、オイルゲージ１０は、分離器本体４の長手方向中央から上側部分に等間隔で配されている。すなわち、複数のオイルゲージ１０は分離器本体４の長手方向に対して中央より一方の側にすべて配設されている。このように、複数のオイルゲージ１０を分離器本体４の長手方向に対して中央より一方の側（図１の上側）にすべて配設することで、分離器１を流れる圧縮空気の下流側に集中してオイルゲージ１０を配することができる。オイルは上流側の吸着材６から吸着されていくため、下流側に配された吸着材６に付着したオイル量を認識することは分離器１として使用できる寿命の目安として好適に利用できる。特に図１のように鉛直方向に設置された分離器１においては、圧縮空気は下側から上側に向けて流通するので、オイルの自重も相俟って分離器１の下側（上流側）からオイルが吸着されていくため、やはり分離器１の上側（下流側）のオイルを認識できることが分離器１としての寿命を判断するのに好適である。なお、図２では吸着材６は省略している。
【００２１】
オイルゲージ１０の先端は切欠かれていて、溝部１３が形成されている。溝部１３は例えばオイルゲージ１０の周方向に沿って環状に形成されている。このように、オイルゲージ１０の先端に溝部１３を形成することで、この溝部１３に溜まったオイルを確実に認識することができる。溝部１３は切欠かれているため、オイルゲージ１０を引き抜く際に周囲の吸着材６に含まれるオイルが入り込むことはなく、確実にオイルゲージ１０の先端にて捕集されたオイルのみを認識することができる。
【符号の説明】
【００２２】
１：圧縮空気圧回路用の分離器、２：圧縮空気圧回路、３：配管、４：分離器本体、５：架台、６：吸着材、７：締結具、８：エアーコンプレッサー、９：バルブ、１０：オイルゲージ、１１：固定具、１２：蓋体、１３：溝部
【図１】
2019136622.tif 000003
【図２】
2019136622.tif 000004
【手続補正書】
【提出日】平成30年5月31日(2018.5.31)
【手続補正１】
【補正対象書類名】特許請求の範囲
【補正対象項目名】全文
【補正方法】変更
【補正の内容】
【特許請求の範囲】
【請求項１】
圧縮空気が流れる圧縮空気圧回路を形成する配管に取り付けられて前記圧縮空気圧回路の一部を構成する中空筒形状の分離器本体と、
該分離器本体の内部に充填されていて前記圧縮空気中に含まれるオイルを吸着するための吸着材と、
前記分離器本体を貫通して外側から差し込まれていて先端が前記分離器本体の中心まで延びている棒形状のオイルゲージと、
該オイルゲージの外側端部を前記分離器本体に対して密閉して固定するためのボルトからなる固定具とを備え、
前記オイルゲージは複数本備わり、前記分離器本体の周方向に対して異なる方向から差し込まれていて且つ前記分離器本体の長手方向に対して間隔を存して配設されていて、
前記圧縮空気の前記分離器本体内での通過距離を長くするために、前記オイルゲージは少なくとも４本備わり、前記分離器本体の周方向に対して９０度ずつずらして配設されていて、
前記オイルゲージの先端には切欠かれた溝部が形成されていることを特徴とする圧縮空気圧回路用の分離器。
【請求項２】
複数の前記オイルゲージは前記分離器本体の長手方向に対して中央より一方の側にすべて配設されていることを特徴とする請求項１に記載の圧縮空気圧回路用の分離器。